(57)【特許請求の範囲】
【請求項１】
記録方向に沿ってこの順に設けられたリードインエリア、データエリア及びリードアウトエリアを備え、
前記リードインエリア内には、記録方向に沿ってこの順に、第１プリ記録エリア、第２プリ記録エリア、第１記録エリア及び第２記録エリアが設けられており、
前記第１記録エリア及び前記第２記録エリアの夫々には、グルーブトラック及びランドトラックが形成されており、
前記第１プリ記録エリアには、物理アドレス情報を含む再生可能なプリフォームド情報が前記グルーブトラックに相当する位置にエンボスピットにより予め記録され、且つ予め割り当てられるプリフォームドアドレス情報が前記ランドトラックに相当する位置に記録されておらず、
前記第２プリ記録エリアには、前記プリフォームドアドレス情報が前記ランドトラックに相当する位置にランドプリピットにより予め記録され、且つ再生不可能なプリフォームド情報が前記グルーブトラックに相当する位置にエンボスピットにより予め記録されており、
前記第１記録エリアは、前記物理アドレス情報を含む第１記録情報が前記グルーブトラック上に記録される領域であり、
前記第２記録エリアは、所定の第２記録情報が前記グルーブトラック上に記録される領域である
ことを特徴とする情報記録媒体。
【請求項２】
前記プリフォームド情報及び前記第１記録情報は、ダミー情報であることを特徴とする請求項１に記載の情報記録媒体。
【請求項３】
前記第１記録エリアは、前記第２記録エリアにアクセスするための緩衝エリアであることを特徴とする請求項１に記載の情報記録媒体。
【請求項４】
前記第１プリ記録エリア及び前記第２プリ記録エリアは、前記リードインエリア中のイニシャルゾーンであり、
前記第１記録エリアは、前記リードインエリア中のバッファーゾーンであり、
前記第２記録エリアは、前記リードインエリア中の物理フォーマット情報ゾーンであることを特徴とする請求項１に記載の情報記録媒体。
【請求項５】
当該情報記録媒体は、ＤＶＤ規格に準拠していることを特徴とする請求項４に記載の情報記録媒体。
【請求項６】
請求項１に記載の情報記録媒体に、前記第１記録情報及び前記第２記録情報を記録する情報記録装置であって、
前記第２プリ記録エリアに予め記録される前記プリフォームドアドレス情報を参照することで、前記物理アドレス情報を含む前記第１記録情報を前記第１記録エリアに記録する第１記録手段と、
前記第２記録情報を前記第２記録エリアに記録する第２記録手段と
を備えることを特徴とする情報記録装置。
【請求項７】
請求項１に記載の情報記録媒体に、前記第１記録情報及び前記第２記録情報を記録する情報記録方法であって、
前記第２プリ記録エリアに予め記録される前記プリフォームドアドレス情報を参照することで、前記物理アドレス情報を含む前記第１記録情報を前記第１記録エリアに記録する第１記録工程と、
前記第２記録情報を前記第２記録エリアに記録する第２記録工程と
を備えることを特徴とする情報記録方法。
【請求項８】
請求項１に記載の情報記録媒体であって、前記第１記録エリアに前記第１記録情報が記録されており且つ前記第２記録エリアに前記第２記録情報が記録されている情報記録媒体を再生する情報再生装置であって、
前記第１記録エリアに記録されている前記第１記録情報を再生する第１再生手段と、
前記第１再生手段により再生された前記第１記録情報に含まれる前記物理アドレス情報を参照することで、前記第２記録エリアに記録された前記第２記録情報を再生する第２再生手段と
を備えることを特徴とする情報再生装置。
【請求項９】
請求項１に記載の情報記録媒体であって、前記第１記録エリアに前記第１記録情報が記録されており且つ前記第２記録エリアに前記第２記録情報が記録されている情報記録媒体を再生する情報再生方法であって、
前記第１記録エリアに記録されている前記第１記録情報を再生する第１再生工程と、
前記第１再生工程において再生された前記第１記録情報に含まれる前記物理アドレス情報を参照することで、前記第２記録エリアに記録された前記第２記録情報を再生する第２再生工程と
を備えることを特徴とする情報再生方法。
【請求項１０】
請求項６に記載の情報記録装置に備えられたコンピュータを制御するコンピュータプログラムであって、該コンピュータを、前記第１記録手段及び前記第２記録手段として機能させることを特徴とするコンピュータプログラム。
【請求項１１】
請求項８に記載の情報再生装置に備えられたコンピュータを制御するコンピュータプログラムであって、該コンピュータを、前記第１再生手段及び前記第２再生手段として機能させることを特徴とするコンピュータプログラム。
【発明の詳細な説明】
【技術分野】
【０００１】
本発明は、例えばＤＶＤ等の情報記録媒体、例えばＤＶＤレコーダやＤＶＤプレーヤ等の情報記録装置及び方法、情報再生装置及び方法、並びに情報記録再生装置及び方法、並びにコンピュータをこのような情報記録装置、情報再生装置又は情報記録再生装置として機能させるコンピュータプログラムの技術分野に関する。
【背景技術】
【０００２】
例えばＤＶＤ−ＲやＤＶＤ−ＲＷ等の記録可能な情報記録媒体上に、エンボスピットを予め形成する技術が、例えば特許文献１に開示されている。記録可能な記録媒体上にエンボスピットを予め形成することで、ファイナライズ時に記録するデータ量を削減することにつながり、結果として、ファイナライズに要する時間の短縮を図ることができる。或いは、記録可能な記録媒体上にエンボスピットを予め形成することで、例えば映画等のデータの不正コピーを防止することができる。【０００３】
特許文献１では特に、読取可能な（言い換えれば、再生可能な）リーダブルエンボスピットと、読取不可能な（言い換えれば、再生不可能な）アンリーダブルエンボスピットとを組み合わせることで、エンボスピットが形成されるエリア部分の直後に位置するエリア部分へのデータの記録を可能としている。具体的には、ＤＶＤレコーダ等の情報記録装置は、アンリーダブルエンボスピットが形成されるエリア部分に形成されているランドプリピット等を読み取ることができるため、該ランドプリピットからアドレス情報を取得することで、エンボスピットが形成されるエリア部分の直後に位置するエリア部分へのデータが記録可能となっている。【０００４】
【特許文献１】特開２００１−３０７３２９号公報
【発明の開示】
【発明が解決しようとする課題】
【０００５】
しかしながら、情報記録媒体上にエンボスピットを予め形成することは、以下のような技術的な問題点を新たに生じさせる。具体的には、アンリーダブルエンボスピットが読取不可能であることに起因して、例えばＤＶＤプレーヤ等の情報再生装置が、アンリーダブルエンボスピットが形成されるエリア部分の直後に位置するエリア部分を再生することができないという技術的な問題点が生ずる。これは、情報再生装置が、ランドプリピットではなく、読み取った情報に基づいてアドレス情報を取得することに起因している。つまり、情報記録媒体上にエンボスピットを予め形成することは、好適な再生動作に悪影響を与えるという技術的な問題点を新たに生じさせる。【０００６】
本発明は、例えば上述した従来の問題点に鑑みなされたものであり、例えばファイナライズに要する時間を短縮しつつ、記録情報の好適な再生を可能とならしめる情報記録媒体、情報記録装置及び方法、情報再生装置及び方法、情報記録再生装置及び記録方法、並びにコンピュータプログラムを提供することを課題とする。
【課題を解決するための手段】
【０００７】
上記課題を解決するために、本発明の情報記録媒体は、記録方向に沿ってこの順に設けられたリードインエリア、データエリア及びリードアウトエリアを備え、前記リードインエリア内には、記録方向に沿ってこの順に、第１プリ記録エリア、第２プリ記録エリア、第１記録エリア及び第２記録エリアが設けられており、前記第１記録エリア及び前記第２記録エリアの夫々には、グルーブトラック及びランドトラックが形成されており、前記第１プリ記録エリアには、物理アドレス情報を含む再生可能なプリフォームド情報が前記グルーブトラックに相当する位置にエンボスピットにより予め記録され、且つ予め割り当てられるプリフォームドアドレス情報が前記ランドトラックに相当する位置に記録されておらず、前記第２プリ記録エリアには、前記プリフォームドアドレス情報が前記ランドトラックに相当する位置にランドプリピットにより予め記録され、且つ再生不可能なプリフォームド情報が前記グルーブトラックに相当する位置にエンボスピットにより予め記録されており、前記第１記録エリアは、前記物理アドレス情報を含む第１記録情報が前記グルーブトラック上に記録される領域であり、前記第２記録エリアは、所定の第２記録情報が前記グルーブトラック上に記録される領域である。
【０００８】
上記課題を解決するために、本発明の情報記録装置は、上述した本発明の情報記録媒体に、前記第１記録情報及び前記第２記録情報を記録する情報記録装置であって、前記第２プリ記録エリアに予め記録される前記プリフォームドアドレス情報を参照することで、前記物理アドレス情報を含む前記第１記録情報を前記第１記録エリアに記録する第１記録手段と、前記第２記録情報を前記第２記録エリアに記録する第２記録手段とを備える。
【０００９】
上記課題を解決するために、本発明の情報記録方法は、上述した本発明の情報記録媒体に、前記第１記録情報及び前記第２記録情報を記録する情報記録方法であって、前記第２プリ記録エリアに予め記録される前記プリフォームドアドレス情報を参照することで、前記物理アドレス情報を含む前記第１記録情報を前記第１記録エリアに記録する第１記録工程と、前記第２記録情報を前記第２記録エリアに記録する第２記録工程とを備える。
【００１０】
上記課題を解決するために、本発明の情報再生装置は、上述した本発明の情報記録媒体であって、前記第１記録エリアに前記第１記録情報が記録されており且つ前記第２記録エリアに前記第２記録情報が記録されている情報記録媒体を再生する情報再生装置であって、前記第１記録エリアに記録される前記第１記録情報を再生する第１再生手段と、前記第１再生手段により再生された前記第１記録情報に含まれる前記物理アドレス情報を参照することで、前記第２記録エリアに記録された前記第２記録情報を再生する第２再生手段とを備える。
【００１１】
上記課題を解決するために、本発明の情報再生方法は、上述した本発明の情報記録媒体であって、前記第１記録エリアに前記第１記録情報が記録されており且つ前記第２記録エリアに前記第２記録情報が記録されている情報記録媒体を再生する情報再生方法であって、前記第１記録エリアに記録される前記第１記録情報を再生する第１再生工程と、前記第１再生工程において再生された前記第１記録情報に含まれる前記物理アドレス情報を参照することで、前記第２記録エリアに記録された前記第２記録情報を再生する第２再生工程とを備える。
【００１２】
上記課題を解決するために、本発明の第１のコンピュータプログラムは、上述した本発明の情報記録装置に備えられたコンピュータを制御するコンピュータプログラムであって、該コンピュータを、前記第１記録手段及び前記第２記録手段として機能させる。
【００１３】
上記課題を解決するために、本発明の第２のコンピュータプログラムは、上述した本発明の情報再生装置に備えられたコンピュータを制御するコンピュータプログラムであって、該コンピュータを、前記第１再生手段及び前記第２再生手段として機能させる。
【００１４】
本発明の作用及び他の利得は次に説明する実施の形態から明らかにされよう。
【図面の簡単な説明】
【００１５】
【図１】本実施例に係る光ディスクの一の基本構造を示した概略平面図であり、該光ディスクの概略断面図と、これに対応付けられた、その半径方向における記録領域構造の図式的概念図である。
【図２】本実施例に係る光ディスクの他の基本構造を示した概略平面図であり、該光ディスクの概略断面図と、これに対応付けられた、その半径方向における記録領域構造の図式的概念図である。
【図３】本実施例に係る光ディスクのリードインエリア内の構成を概念的に示すエリア構造図である。
【図４】本実施例に係る情報記録再生装置の基本的な構成を概念的に示すブロック図である。
【符号の説明】
【００１６】
１００  光ディスク
１０２  リードインエリア
１０２１  イニシャルゾーン
１０２２  バッファーゾーン
１０２３  ＲＷ物理フォーマット情報ゾーン
２００  情報記録再生装置
３５３  信号記録再生手段
【発明を実施するための最良の形態】
【００１７】
以下、本発明の情報記録媒体、情報記録装置及び方法、情報再生装置及び方法、並びにコンピュータプログラムの実施形態について説明を進める。【００１８】
（情報記録媒体の実施形態）
本発明の情報記録媒体に係る実施形態は、記録方向に沿ってこの順に設けられたリードインエリア、データエリア及びリードアウトエリアを備え、前記リードインエリア内には、記録方向に沿ってこの順に、第１プリ記録エリア、第２プリ記録エリア、第１記録エリア及び第２記録エリアが設けられており、前記第１記録エリア及び前記第２記録エリアの夫々には、グルーブトラック及びランドトラックが形成されており、前記第１プリ記録エリアには、物理アドレス情報を含む再生可能なプリフォームド情報が前記グルーブトラックに相当する位置にエンボスピットにより予め記録され、且つ予め割り当てられるプリフォームドアドレス情報が前記ランドトラックに相当する位置に記録されておらず、前記第２プリ記録エリアには、前記プリフォームドアドレス情報が前記ランドトラックに相当する位置にランドプリピットにより予め記録され、且つ再生不可能なプリフォームド情報が前記グルーブトラックに相当する位置にエンボスピットにより予め記録されており、前記第１記録エリアは、前記物理アドレス情報を含む第１記録情報が前記グルーブトラック上に記録される領域であり、前記第２記録エリアは、所定の第２記録情報が前記グルーブトラック上に記録される領域である。
【００１９】
本発明の情報記録媒体に係る実施形態によれば、第１プリ記録エリア及び第２プリ記録エリアにプリフォームド情報が予め記録されている。特に、第１プリ記録エリアには、例えば情報記録装置により読み取られるプリフォームドアドレス情報が記録されておらず、他方、第２プリ記録エリアには、プリフォームドアドレス情報が予め記録されている。本実施形態では特に、第２プリ記録エリアに隣接する第１記録エリアには、物理アドレス情報を含む第１記録情報が、例えば情報記録装置により記録される。物理アドレス情報は、少なくとも当該情報記録媒体を再生する情報再生装置に再生可能（即ち、読取可能）である。第１記録エリアに隣接する第２記録エリアには、所定の第２記録情報が、情報記録装置により記録される。【００２０】
このように、本実施形態に係る情報記録媒体によれば、プリフォームド情報が予め記録されている第１プリ記録エリア及び第２プリ記録エリアを備えているため、予め定められたデータに関しては、その全てを情報記録装置が必ずしも記録しなくても済むようになり、ファイナライズ時に記録する必要があるデータのサイズを削減することができる。これにより、ファイナライズに要する時間の短縮を図ることができる。【００２１】
更に、例えば情報記録装置が第１記録エリアにアクセスする際には、第１記録エリアの手前にある第２プリ記録エリアに記録されているプリフォームドアドレス情報を参照することで、第１記録エリアの先頭部分から好適に第１記録情報を記録することができる。具体的に説明すると、情報記録装置が所望のエリア部分にアクセスする際には、該所望のエリア部分の手前のエリア部分より順にサーチすることで、サーチ先が所望のエリア部分に到達する前にアドレス情報等を好適に検出している必要がある。この動作を考慮すると、本実施形態によれば、第１記録エリアの手前に、プリフォームドアドレス情報が記録される第２プリ記録エリアが配置されているため、情報記録装置は、第２プリ記録エリアをサーチすることで、アドレス情報等を好適に検出することができる。このため、情報記録装置が第１記録エリアの先頭部分にアクセスすることができないという不都合を好適に防ぐことができる。これにより、第１記録エリアの全体に第１記録情報を記録することができる。【００２２】
加えて、例えば情報再生装置が第２記録エリアにアクセスする際には、第２記録エリアの手前にある第１記録エリアに記録されている第１記録情報に含まれる物理アドレス情報を参照することで、第２記録エリアの先頭部分から好適に第２記録情報を再生することができる。具体的に説明すると、情報再生装置が所望のエリア部分にアクセスする際には、該所望のエリア部分の手前のエリア部分より順にサーチすることで、サーチ先が所望のエリア部分に到達する前にアドレス情報等を好適に検出している必要がある。特に、情報再生装置は、一般的には、情報記録装置が読取可能なプリフォームドアドレス情報を再生することができない。この動作を考慮すると、本実施形態によれば、第２記録エリアの手前に、情報再生装置により再生可能な物理アドレス情報を含む第１記録情報が記録される第１記録エリアが配置されているため、情報再生装置は、第１記録エリアをサーチすることで、アドレス情報等を好適に検出することができる。これにより、情報再生装置が第２記録エリアの先頭部分にアクセスすることができないという不都合を好適に防ぐことができる。これにより、第２記録エリアの全体を再生することができる。【００２３】
このように、本実施形態に係る情報記録媒体は、第１プリ記録エリア及び第２プリ記録エリアを設けることでファイナライズに要する時間を短縮しつつ、第１プリ記録エリア及び第２プリ記録エリアに隣接する或いは近接するエリア部分への記録動作時及び再生動作を好適に行わせることができるという大きな利点を有している。これは、単にエンボスピットを情報記録媒体上に形成する上述の背景技術によれば、到底享受することができない、本実施形態に係る情報記録媒体に特有の効果である。【００２５】
加えて、本実施形態の情報記録媒体によれば、ランドトラック及びグルーブトラックが形成される情報記録媒体において、上述した各種効果を好適に享受することができる。
【００２６】
本発明の情報記録媒体に係る実施形態の他の態様は、前記プリフォームド情報及び第１記録情報は、ダミー情報である。【００２７】
この態様によれば、第１プリ記録エリア、第２プリ記録エリア及び第１記録エリアにダミー情報（例えば、“００ｈ情報”等の固定的な情報）が記録されても、上述した各種効果を好適に享受することができる。【００２８】
本発明の情報記録媒体に係る実施形態の他の態様は、前記第１記録エリアは、前記第２記録エリアにアクセスするための緩衝エリアである。【００２９】
この態様によれば、情報再生装置は、第２記録エリアにアクセスする前に、第１記録エリアをサーチすることで、第２記録エリアの先頭部分から好適に第２記録情報を再生することができる。【００３２】
本発明の情報記録媒体に係る実施形態の他の態様は、前記第１プリ記録エリア及び前記第２プリ記録エリアは、リードインエリア中のイニシャルゾーンであり、前記第１記録エリアは、リードインエリア中のバッファーゾーンであり、前記第２記録エリアは、リードインエリア中の物理フォーマット情報ゾーンである。【００３３】
この態様によれば、後に図面を参照して詳細に説明する情報記録媒体において、上述した各種効果を好適に享受することができる。【００３４】
この態様では、当該情報記録媒体は、ＤＶＤ規格に準拠しているように構成してもよい。【００３５】
このように構成すれば、ＤＶＤ規格に準拠している情報記録媒体において、上述した各種効果を好適に享受することができる。【００３６】
（情報記録装置の実施形態）
本発明の情報記録装置に係る実施形態は、上述した本発明の情報記録媒体に係る実施形態（但し、その各種態様を含む）に、前記第１記録情報及び前記第２記録情報を記録する情報記録装置であって、前記第２プリ記録エリアに予め記録される前記プリフォームドアドレス情報を参照することで、前記物理アドレス情報を含む前記第１記録情報を前記第１記録エリアに記録する第１記録手段と、前記第２記録情報を前記第２記録エリアに記録する第２記録手段とを備える。
【００３７】
本発明の情報記録装置に係る実施形態によれば、第１記録手段の動作により、第１記録エリアに第１記録情報が記録される。同様に、第２記録手段の動作により、第２記録エリアに第２記録情報が記録される。【００３８】
特に、第１記録手段は、第１記録エリアにアクセスする際には、第１記録エリアの手前にある第２プリ記録エリアに記録されているプリフォームドアドレス情報を参照することで、第１記録エリアの先頭部分から好適に第１記録情報を記録することができる。【００３９】
更に、第１記録手段は、情報再生装置により再生可能な物理アドレス情報を含む第１記録情報を第１記録エリアに記録している。このため、例えば情報再生装置が第２記録エリアにアクセスする際には、第２記録エリアの手前にある第１記録エリアに記録されている第１記録情報に含まれる物理アドレス情報を参照することで、第２記録エリアの先頭部分から好適に第２記録情報を再生することができる。【００４０】
加えて、プリフォームド情報が予め記録されているため、ファイナライズに要する時間を短縮することができる。【００４１】
このように、本実施形態に係る情報記録装置によれば、上述した本実施形態に係る情報記録媒体が有する効果と同様の効果を好適に享受することができる。【００４２】
（情報記録方法の実施形態）
本発明の情報記録方法に係る実施形態は、上述した本発明の情報記録媒体に係る実施形態（但し、その各種態様を含む）に、前記第１記録情報及び前記第２記録情報を記録する情報記録方法であって、前記第２プリ記録エリアに予め記録される前記プリフォームドアドレス情報を参照することで、前記物理アドレス情報を含む前記第１記録情報を前記第１記録エリアに記録する第１記録工程と、前記第２記録情報を前記第２記録エリアに記録する第２記録工程とを備える。
【００４３】
本発明の情報記録方法に係る実施形態によれば、上述した本発明の情報記録装置に係る実施形態が有する各種効果と同様の効果を享受することができる。【００４４】
尚、上述した本発明の情報記録装置に係る実施形態における各種態様に対応して、本発明の情報記録方法に係る実施形態も各種態様を採ることが可能である。【００４５】
（情報再生装置の実施形態）
本発明の情報再生装置に係る実施形態は、上述した本発明の情報記録媒体に係る実施形態（但し、その各種態様を含む）であって、前記第１記録エリアに前記第１記録情報が記録されており且つ前記第２記録エリアに前記第２記録情報が記録されている情報記録媒体を再生する情報再生装置であって、前記第１記録エリアに記録される前記第１記録情報を再生する第１再生手段と、前記第１再生手段により再生された前記第１記録情報に含まれる前記物理アドレス情報を参照することで、前記第２記録エリアに記録された前記第２記録情報を再生する第２再生手段とを備える。
【００４６】
本発明の情報再生装置に係る実施形態によれば、第１再生手段の動作により、第１記録エリアに記録される第１記録情報が再生される。同様に、第２再生手段の動作により、第２記録エリアに記録される第２記録情報が再生される。【００４７】
特に、第２再生手段は、第２記録エリアにアクセスする際には、第２記録エリアの手前にある第１記録エリアに記録されている第１記録情報に含まれる物理アドレス情報を参照することで、第２記録エリアの先頭部分から好適に第２記録情報を再生することができる。【００４８】
このように、本実施形態に係る情報再生装置によれば、上述した本実施形態に係る情報記録媒体が有する効果と同様の効果を好適に享受することができる。【００４９】
（情報再生方法の実施形態）
本発明の情報再生方法に係る実施形態は、上述した本発明の情報記録媒体に係る実施形態（但し、その各種態様を含む）であって、前記第１記録エリアに前記第１記録情報が記録されており且つ前記第２記録エリアに前記第２記録情報が記録されている情報記録媒体を再生する情報再生方法であって、前記第１記録エリアに記録される前記第１記録情報を再生する第１再生工程と、前記第１再生工程において再生された前記第１記録情報に含まれる前記物理アドレス情報を参照することで、前記第２記録エリアに記録された前記第２記録情報を再生する第２再生工程とを備える。
【００５０】
本発明の情報再生方法に係る実施形態によれば、上述した本発明の情報再生装置に係る実施形態が有する各種効果と同様の効果を享受することができる。【００５１】
尚、上述した本発明の情報再生装置に係る実施形態における各種態様に対応して、本発明の情報再生方法に係る実施形態も各種態様を採ることが可能である。【００５２】
（コンピュータプログラムの実施形態）
本発明のコンピュータプログラムに係る第１実施形態は、上述した本発明の情報記録装置に係る実施形態（但し、その各種態様を含む）に備えられたコンピュータを制御するコンピュータプログラムであって、該コンピュータを、前記第１記録手段及び前記第２記録手段として機能させる。
【００５３】
本発明のコンピュータプログラムに係る第１実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。【００５４】
尚、上述した本発明の情報記録装置に係る実施形態における各種態様に対応して、本発明のコンピュータプログラムに係る第１実施形態も各種態様を採ることが可能である。【００５５】
本発明のコンピュータプログラムに係る第２実施形態は、上述した本発明の情報再生装置に係る実施形態（但し、その各種態様を含む）に備えられたコンピュータを制御するコンピュータプログラムであって、該コンピュータを、前記第１再生手段及び前記第２再生手段として機能させる。
【００５６】
本発明のコンピュータプログラムに係る第２実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。【００５７】
尚、上述した本発明の情報再生装置に係る実施形態における各種態様に対応して、本発明のコンピュータプログラムに係る第２実施形態も各種態様を採ることが可能である。【００６４】
本発明のこのような作用及び他の利得は次に説明する実施例から更に明らかにされる。【００６５】
以上説明したように、本発明の情報記録媒体に係る実施形態は、第１プリ記録エリアと、第２プリ記録エリアと、第１記録エリアと、第２記録エリアとを備える。本発明の情報記録装置に係る実施形態によれば、第１記録手段と、第２記録手段とを備える。本発明の情報記録方法に係る実施形態によれば、第１記録工程と、第２記録工程とを備える。本発明の情報再生装置に係る実施形態によれば、第１再生手段と、第２再生手段とを備える。本発明の情報再生方法に係る実施形態によれば、第１再生工程と、第２再生工程とを備える。本発明のコンピュータプログラムに係る第１実施形態は、コンピュータを本発明の情報記録装置に係る実施形態として機能させる。本発明のコンピュータプログラムに係る第２実施形態は、コンピュータを本発明の情報再生装置に係る実施形態として機能させる。従って、ファイナライズに要する時間を短縮しつつ、記録情報の好適な再生を行うことができる。
【実施例】
【００６６】
以下、図面を参照して本発明の好適な実施例について説明する。【００６７】
初めに、図１及び図２を参照して、本発明の情報記録媒体に係る実施例としての光ディスクについて説明を進める。ここに、図１（ａ）は、本実施例に係る光ディスクの一の基本構造を示した概略平面図であり、図１（ｂ）は、該光ディスクの概略断面図と、これに対応付けられた、その半径方向における記録領域構造の図式的概念図であり、図２（ａ）は、本実施例に係る光ディスクの他の基本構造を示した概略平面図であり、図２（ｂ）は、該光ディスクの概略断面図と、これに対応付けられた、その半径方向における記録領域構造の図式的概念図である。【００６８】
図１（ａ）及び図１（ｂ）に示されるように、本実施例に係る光ディスク１００ａは、例えば、ＤＶＤと同じく直径１２ｃｍ程度のディスク本体上の記録面に、センターホール１０１を中心として、リードインエリア１０２、データエリア１０５、及びリードアウトエリア１０８が設けられている。そして、光ディスク１００ａは、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。【００６９】
或いは、図２（ａ）及び図２（ｂ）に示されるように、本実施例に係る光ディスク１００ｂは、例えば、ＤＶＤと同じく直径１２ｃｍ程度のディスク本体上の記録面に、センターホール１０１を中心として、リードインエリア１０２又はリードアウトエリア１１８、データエリア１０５及び１１５、並びにミドルエリア１０９及び１１９が設けられている。そして、光ディスク１００ｂは、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。【００７０】
特に、本実施例に係る光ディスク１００ｂは、図２（ｂ）に示されるように、例えば、透明基板１１０に、２つの記録層（即ち、Ｌ０層及びＬ１層）が積層された構造をしている。このような二層型の光ディスク１００の記録再生時には、図２（ｂ）中、下側から上側に向かって照射されるレーザ光ＬＢの集光位置をいずれの記録層に合わせるかに応じて、Ｌ０層におけるデータの記録再生が行なわれるか又はＬ１層におけるデータの記録再生が行われる。特に、Ｌ０層においては内周側から外周側に向かってデータが記録され、他方Ｌ１層においては外周側から内周側に向かってデータが記録される。即ち、本実施例に係る光ディスク１００ｂは、オポジットトラックパス方式の光ディスクに相当する。但し、パラレルトラックパス方式の光ディスクであっても、以下に説明する構成を採用することで、以下に述べる各種効果を享受することができる。【００７１】
尚、本実施例においては、単一の記録層を備える光ディスク１００ａ及び２つの記録層を備える光ディスク１００ｂを具体例とする説明を進める。以下の説明では、光ディスク１００ａ及び１００ｂを、単に光ディスク１００と称して説明を進める。しかしながら、以下に説明する構成は、３つ以上の記録層を備える多層型の光ディスクに対して適用してもよいことは言うまでもない。【００７２】
続いて、図３を参照して、本実施例に係る光ディスク１００の詳細な構成について説明する。ここに、図３は、本実施例に係る光ディスク１００のリードインエリア１０２内の構成を概念的に示すエリア構造図である。【００７３】
尚、以下の説明では、光ディスク１００がＤＶＤ規格に準拠している場合に、本発明を光ディスク１００に適用した場合の構成について説明を進める。但し、ＤＶＤ規格に準拠した光ディスク１００に類似した構成を有する光ディスクに対して本発明を適用させてもよいことは言うまでもない。【００７４】
図３に示すように、リードインエリア１０２は、本発明における「第１プリ記録エリア」及び「第２プリ記録エリア」の一具体例を構成するイニシャルゾーン（Initial zone）１０２１と、本発明における「第１記録エリア」の一具体例を構成するバッファーゾーン（＃０）（Buffer zone #0）１０２２と、本発明における「第２記録エリア」の一具体例を構成するＲＷ物理フォーマット情報ゾーン（RW Physical format information zone）１０２３と、リファレンスコードゾーン（Reference code zone）１０２４と、バッファーゾーン（＃１）（Buffer zone #1）１０２５と、コントロールデータゾーン（Control data zone）１０２６と、エクストラボーダーゾーン（Extra Border Zone）１０２７とを備えている。【００７５】
本実施例では特に、イニシャルゾーン１０２１の前半部分１０２１ａは、読み取り可能なリーダブルエンボスピットにより、固定的なダミーデータ（例えば、００ｈデータ）が予め記録されている。イニシャルゾーン１０２１の前半部分１０２１ａには、プリフォーマットアドレス（本発明における「プリフォームドアドレス情報」の一具体例）を示すＬＰＰ（Land Pre Pit）は形成されていない。言い換えれば、イニシャルゾーン１０２１の前半部分１０２１ａにＬＰＰが形成されていないがゆえに、エンボスピットとＬＰＰが干渉する不都合が生じることはなく、その結果、リーダブルエンボスピット（本発明における「再生可能なプリフォームド情報」の一具体例）を形成することができる。【００７６】
他方、イニシャルゾーン１０２１の後半部分１０２１ｂは、読み取り不可能なアンリーダブルエンボスピットにより、固定的なダミーデータ（例えば、００ｈデータ等）が予め記録されている。イニシャルゾーン１０２１の後半部分１０２１ｂには、プリフォーマットアドレスを示すＬＰＰ（Land Pre Pit）が形成されている。言い換えれば、イニシャルゾーン１０２１の後半部分１０２１ｂにＬＰＰが形成されていることに起因して、エンボスピットとＬＰＰが干渉するため、エンボスピットを形成したとしてもアンリーダブルなエンボスピット（本発明における「再生不可能なプリフォームド情報」の一具体例）となる。【００７７】
バッファーゾーン（＃０）１０２２には、グルーブトラック及びランドトラックが形成されており、後述の情報記録再生装置により、固定的なダミーデータ（例えば、００ｈデータ等）が記録される。つまりバッファーゾーン（＃０）１０２２は固定的なダミーデータが記録されるエリアであるが、イニシャルゾーン１０２１のようにエンボスピットにより予めデータが記録されるエリアではなく、後述の情報記録再生装置によりデータを記録するエリアとしている。【００７８】
尚、後述の情報記録再生装置は、データを記録する際には、データと共に物理アドレス情報（本発明における「物理アドレス情報」の一具体例）を記録する。【００７９】
ＲＷ物理フォーマット情報ゾーン１０２３には、グルーブトラック及びランドトラックが形成されており、後述の情報記録再生装置により、マニュファクチャリング情報（Manufacturing information）や、物理フォーマット情報（Physical format information）が記録される。【００８０】
ここで、後述の情報記録再生装置がバッファーゾーン（＃０）１０２２にダミーデータを記録する際の動作について説明する。この場合、初めに、イニシャルゾーン１０２１からバッファーゾーン１０２２に向かってサーチ動作が行われる。このとき、情報記録再生装置は、イニシャルゾーン１０２１の後半部分１０２１ｂに形成されているＬＰＰを参照することで、アドレス情報を取得することができる。このため、情報記録再生装置がバッファーゾーン（＃０）１０２２にアクセスした時点で、情報記録再生装置は既にアドレス情報を好適に取得している。このため、情報記録再生装置は、バッファーゾーン（＃０）１０２２の先頭部分からダミーデータを記録することができる。つまり、バッファーゾーン（＃０）１０２２の先頭部分にダミーデータを記録することができないという不都合を好適に防ぐことができる。同様に、情報記録再生装置は、バッファーゾーン（＃０）１０２２に続くＲＷ物理フォーマット情報ゾーン１０２３の先頭部分から各種データを記録することができる。【００８１】
他方、後述の情報記録再生装置がＲＷ物理フォーマット情報ゾーン１０２３に記録された各種データを再生する際の動作について説明する。この場合、初めにバッファーゾーン（＃０）１０２２からＲＷ物理フォーマット情報ゾーン１０２３に向かってサーチ動作が行われる。このとき、情報記録再生装置は、バッファーゾーン１０２２に記録されているダミーデータと共に記録される物理アドレス情報を取得することができる。このため、情報記録再生装置がＲＷ物理フォーマット情報ゾーン１０２３にアクセスした時点で、情報記録再生装置は既にアドレス情報を好適に取得している。このため、情報記録再生装置は、ＲＷ物理フォーマット情報ゾーン１０２３の先頭部分から各種データを再生することができる。つまり、ＲＷ物理フォーマット情報ゾーン１０２３の先頭部分に記録された各種データを再生することができないという不都合を好適に防ぐことができる。【００８２】
特に、再生専用の情報再生装置は、ＬＰＰを参照することができないため、データと共に記録されている物理アドレス情報を参照しなければ、アドレス情報を取得することができない。このため、上述の如く、ＲＷ物理フォーマット情報ゾーン１０２３の手前に、バッファーゾーン１０２２を設ける構成を光ディスク１００が有していることで、再生専用の情報再生装置であっても、ＲＷ物理フォーマット情報ゾーン１０２３の先頭部分から各種データを再生することができる。【００８３】
このように、エンボスピットが形成されるエリア（例えば、イニシャルゾーン１０２１）に続いて、情報記録再生装置がデータを記録する必要があるエリア（例えば、バッファーゾーン（＃０）１０２２）が配置される場合において、情報記録再生装置がデータを記録する必要があるエリアの手前にＬＰＰが形成され且つアンリーダブルエンボスピットが形成されたエリアを配置することで、情報記録再生装置がデータを記録する必要があるエリアへの記録を好適に行うことができる。【００８４】
そして、情報記録再生装置がデータを記録する必要があるエリアが、情報記録再生装置（特に、再生専用の情報再生装置）が読み取る必要があるエリア（例えば、ＲＷ物理フォーマット情報ゾーン１０２３）の手前に配置されているため、情報記録再生装置が読み取る必要があるエリアへの記録を好適に行うことができる。言い換えれば、情報記録再生装置が読み取る必要があるエリアの手前に、情報記録再生装置によって物理アドレス情報と共にデータが記録されるエリアであって且つ情報再生装置がアドレス情報を取得するためのエリアが配置されているため、情報記録再生装置が読み取る必要があるエリアへの記録を好適に行うことができる。【００８５】
更には、本来ファイナライズ時にダミーデータを記録する必要があるイニシャルゾーン１０２１には、エンボスピットによりダミーデータが予め記録されているため、ファイナライズに要する時間を短縮することができる。【００８６】
尚、イニシャルゾーン１０２１のうちのアンリーダブルエンボスピットが形成される領域（つまり、イニシャルゾーン１０２１の後半部分１０２１ｂ）のサイズは、情報記録再生装置によりプリフォーマットアドレスを取得することができる程度のサイズであることが好ましい。上述の例では、イニシャルゾーン１０２１の後半部分１０２１ｂは、例えば１６ＥＣＣブロックのサイズを有している。【００８７】
一方、バッファーゾーン（＃０）１０２２のサイズは、情報記録再生装置により物理アドレス情報を取得することができる程度のサイズであることが好ましい。上述の例では、バッファーゾーン（＃０）１０２２は、例えば３２ＥＣＣブロックのサイズを有している。【００８８】
そして、２つの記録層を備える光ディスク１００ｂにおいて、データが記録された状態での各エリアの開始物理アドレス情報を示す物理セクターナンバーは、例えば、イニシャルゾーン１０２１が０２４４４０ｈ、バッファーゾーン（＃０）１０２２が０２Ｅ２００ｈ，ＲＷ物理フォーマット情報ゾーン１０２３が０２Ｅ４００ｈ、リファレンスコードゾーン１０２４が０２Ｆ０００ｈ、バッファーゾーン（＃１）１０２５が０２Ｆ０２０ｈ、コントロールデータゾーン１０２６が０２Ｆ２００ｈ、エクストラボーダーゾーン１０２７が０２ＦＥ００ｈである。【００８９】
また、上述の実施例では、イニシャルゾーン１０２１、バッファーゾーン（＃０）１０２２及びＲＷ物理フォーマット情報ゾーン１０２３を一具体例として説明を進めた。しかしながら、エンボスピットが形成されるエリアと、情報記録再生装置がデータを記録する必要があるエリアと、情報記録再生装置が読み取る必要があるエリアとが連続的に配置される場合に、上述した構成を採用してもよいことは言うまでもない。【００９０】
続いて、図４を参照して、本発明の情報記録装置及び情報再生装置の実施例としての情報記録再生装置２００について説明する。ここに、図４は、本実施例に係る情報記録再生装置２００の基本的な構成を概念的に示すブロック図である。尚、情報記録再生装置２００は、光ディスク１００にデータを記録する機能と、光ディスク１００に記録されたデータを再生する機能とを備える。光ディスク１００にデータを記録する機能が、本発明の情報記録装置の一具体例を構成しており、光ディスク１００に記録されたデータを再生する機能が、本発明の情報再生装置の一具体例を構成している。このため、情報記録再生装置２００が、光ディスク１００にデータを記録する機能のみを備えていれば、情報記録装置にもなり得ることは言うまでもない。同様に、情報記録再生装置２００が、光ディスク１００に記録されたデータを再生する機能のみを備えていれば、情報再生装置にもなり得ることは言うまでもない。【００９１】
図４に示すように、情報記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【００９２】
ディスクドライブ３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、データ入出力制御手段３０８、及びバス３５８を備えて構成される。【００９３】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【００９４】
光ピックアップ３５２は、光ディスク１００への記録再生を行うために、例えば半導体レーザ装置とレンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００９５】
信号記録再生手段３５３は、本発明における「第１記録手段」、「第２記録手段」、「第１再生手段」及び「第２再生手段」の一具体例を構成しており、スピンドルモータ３５１と光ピックアップ３５２を制御することで光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。【００９６】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００９７】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【００９８】
データ入出力制御手段３０６は、ディスクドライブ３００に対する外部からのデータ入出力を制御し、メモリ３５５上のデータバッファへの格納及び取り出しを行う。情報記録再生装置３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【００９９】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、情報記録再生装置３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【０１００】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【０１０１】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。【０１０２】
本実施例に係る情報記録再生装置２００は、上述した光ディスク１００に対する記録動作や再生動作を行う。このため、上述した光ディスク１００の各種効果を好適に享受することができる。【０１０３】
また、上述の実施例では、情報記録媒体の一例として光ディスク１００及び情報記録再生装置の一例として光ディスク１００に係るレコーダ或いはプレーヤについて説明したが、本発明は、光ディスク及びそのレコーダ或いはプレーヤに限られるものではなく、他の高密度記録或いは高転送レート対応の各種記録媒体並びにそのレコーダ或いはプレーヤにも適用可能である。【０１０４】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、情報再生装置及び方法、並びにコンピュータプログラムもまた本発明の技術的範囲に含まれるものである。
【図１】
0004792502.tif 000002
【図２】
0004792502.tif 000003
【図３】
0004792502.tif 000004
【図４】
0004792502.tif 000005